(57)【要約】【課題】水道圧を利用して液体を良好に加圧し噴霧することができ、しかも加圧タンクの破壊されることのない噴霧装置を提供する。【解決手段】内部が変位膜により上部の空気室と下部の水圧室に区画された加圧タンク２と、内部が上部の空気室と下部の液体を溜める液体室に区画された液体タンク１３を備え、加圧タンク２の空気室と液体タンク１３の空気室を連通管路８で接続するとともに、加圧タンク２の水圧室には接続経路管１１を介して水道管を接続し、接続経路管１１に操作弁１０を設けて、常にはこの操作弁１０がドレン経路管１２側と加圧タンク２内の水圧室を連通するようにして、ハンドル１０ａが操作された時のみ水道圧が加圧タンク２に作用するように構成する。【選択図】図１
2009000668.tif 000002
【特許請求の範囲】
【請求項１】
内部が変位膜により上部の空気室と下部の水圧室に区画された加圧タンクと、
内部が上部の空気室と下部の液体を溜める液体室に区画された液体タンクを備え、
前記加圧タンクの空気室と前記液体タンクの空気室を気密に連通する管路で接続するとともに、前記加圧タンクの水圧室には水道管を接続してなる噴霧装置において、
前記加圧タンクの水圧室と水道管を接続する経路に、該経路を開閉操作できる操作弁を設けたことを特徴とする噴霧装置。
【請求項２】
前記操作弁は三方弁で構成されて、ドレン経路が設けられ、該操作弁を操作することで、前記加圧タンクの水圧室に対し、前記水道管または前記ドレン経路の何れかが連通されるように構成したことを特徴とする請求項１に記載の噴霧装置。
【請求項３】
前記操作弁は、常には前記加圧タンクの水圧室と前記ドレン経路が連通している状態に付勢されていることを特徴とする請求項２に記載の噴霧装置。
【請求項４】
前記液体タンクは、空気室内に加圧された空気を気密に保持したまま前記液体タンクに連通する管路から分離できるように構成されていることを特徴とする請求項１または請求項２または請求項３に記載の噴霧装置。
【発明の詳細な説明】
【技術分野】
【０００１】
本発明は、水道管の水圧を利用して液体を噴霧できる噴霧装置に関するものである。
【背景技術】
【０００２】
従来、特許文献１に開示されているように、洗剤を入れることのできる内部が変位膜で仕切られた洗剤タンクに対し、水道管を直結し、水道管からの水圧で洗剤タンク内の洗剤を加圧し、洗剤を浴槽内に噴出させることのできる噴霧装置が存在する。
また、特許文献２に開示されているように、伸縮性シートで内部が気体室と液体室に区画された空気加圧器に、水道管を連通させ、水道管からの水圧で空気加圧器内の空気を加圧し、この加圧された空気を、液体を入れた粘性液体タンク内に供給して、加圧された空気により粘性液体タンク内の液体を加圧してノズルから噴出させるように構成した液体供給装置が存在する。
【特許文献１】特許第３２１８０８７号公報
【特許文献２】実開平６−２８２号公報
【発明の開示】
【発明が解決しようとする課題】
【０００３】
特許文献１に開示されている構造では、洗剤タンクに水道管から直に水圧がかかる構造であるため、洗剤タンク内の変位膜が破れた場合等には、水道水と洗剤が混ざる等して衛生上好ましくない事態が生じるという問題点があり、また、洗剤の噴霧時にホース等を介し噴霧ノズルは洗剤タンクに気密に接続されていなければならないため、洗剤タンクから遠い位置に洗剤を噴霧するような場合には長い管路が必要となるという問題点があった。
【０００４】
なお、特許文献２に開示されている構造では、空気が媒体となって液体を加圧する構造であるため、液体と水が混ざるような事態は生じないが、水道管からの水圧が常に空気加圧器に作用しており、空気加圧器を頑丈なものとする必要があり、また、水道管の蛇口を急閉止した場合に生ずる大きな水撃圧力が空気加圧器内に作用して、空気加圧器の破損等のトラブルが起こり易いという新たな問題点があった。
【課題を解決するための手段】
【０００５】
本発明は上記従来の問題点に鑑み案出したものであって、液体と水が混ざるようなことがなく、しかも加圧タンクに破損等が生じることのない噴霧装置を提供するものであり、その請求項１は、内部が変位膜により上部の空気室と下部の水圧室に区画された加圧タンクと、内部が上部の空気室と下部の液体を溜める液体室に区画された液体タンクを備え、前記加圧タンクの空気室と前記液体タンクの空気室を気密に連通する管路で接続するとともに、前記加圧タンクの水圧室には水道管を接続してなる噴霧装置において、前記加圧タンクの水圧室と水道管を接続する経路に、該経路を開閉操作できる操作弁を設けたことである。
【０００６】
また、請求項２は、前記操作弁は三方弁で構成されて、ドレン経路が設けられ、該操作弁を操作することで、前記加圧タンクの水圧室に対し、前記水道管または前記ドレン経路の何れかが連通されるように構成したことである。
【０００７】
また、請求項３は、前記操作弁は、常には前記加圧タンクの水圧室と前記ドレン経路が連通している状態に付勢されていることである。
【０００８】
また、請求項４は、前記液体タンクは、空気室内に加圧された空気を気密に保持したまま前記液体タンクに連通する管路から分離できるように構成されていることである。
【発明の効果】
【０００９】
本発明の噴霧装置は、内部が変位膜により上部の空気室と下部の水圧室に区画された加圧タンクと、内部が上部の空気室と下部の液体を溜める液体室に区画された液体タンクを備え、前記加圧タンクの空気室と前記液体タンクの空気室を気密に連通する管路で接続するとともに、前記加圧タンクの水圧室には水道管を接続してなる噴霧装置において、前記加圧タンクの水圧室と水道管を接続する経路に、該経路を開閉操作できる操作弁を設けたことにより、水道管の水圧を有効に利用して加圧タンク内の空気を加圧し、管路を通して加圧した空気を液体タンク内に導入して、液体タンク内の液体を押し出して噴霧することができ、加圧タンク内の変位膜が破れた場合でも、水道水と洗剤等の液体が混ざり難い構造であり、また、加圧タンクは操作弁の下流側に位置するため、水道管を急閉止した場合にも水撃圧力は加圧タンクに加わることがないため、加圧タンクの破損を防ぐことができるものとなる。
【００１０】
また、前記操作弁は三方弁で構成されて、ドレン経路が設けられ、該操作弁を操作することで、前記加圧タンクの水圧室に対し、前記水道管または前記ドレン経路の何れかが連通されるように構成したことにより、加圧タンク内の水圧室と水道管が連通された状態では、加圧タンク内の空気を水道圧を利用して加圧することができ、また、加圧タンクの水圧室とドレン経路が連通した状態では、水圧室内の水を良好にドレン経路を通して排水することができ、１つの操作弁で加圧タンクの加圧とドレン排水の両方を操作できるものとなる。
【００１１】
また、前記操作弁は、常には前記加圧タンクの水圧室と前記ドレン経路が連通している状態に付勢されていることにより、加圧タンクを加圧したい時だけ操作弁を操作して加圧タンク内に水道圧を作用させることができ、それ以外はドレン排水となるため圧力が開放されて加圧タンクは常に大気圧となり、加圧タンクに通常は水道圧がかかることがなく、加圧タンクの力学的負担を少なくして、加圧タンクの破損を防ぐことができるものとなる。
【００１２】
また、前記液体タンクは、空気室内に加圧された空気を気密に保持したまま前記液体タンクに連通する管路から分離できるように構成されていることにより、液体タンクは内部に加圧された空気を気密に保持したまま分離することができるため、液体タンクを単独に自由に持ち運んで、遠く離れた場所でも液体を良好に噴霧させて使用できるものとなる。
【実施例】
【００１３】
以下、本発明の実施例を図面に基づいて説明する。
図１は、噴霧装置の外観構成図であり、図２は、噴霧装置の内部構造を示した断面構成図である。
噴霧装置１は、加圧タンク２と、洗剤等の液体を投入して内部に溜めることのできる液体タンク１３を備えている。
この加圧タンク２と液体タンク１３は連通管路８で気密に連通されており、連通管路８に設けた着脱部２０を介して液体タンク１３を加圧タンク２から分離することができるように構成されている。
【００１４】
先ず、加圧タンク２を説明すると、加圧タンク２内には変位膜３が設けられており、この変位膜３により、上部の空気室４と下部の水圧室５に内部が区画されており、図２では、内部に空気が吸い込まれて空気室４が膨張し大気圧となっている状態を示している。
加圧タンク２の上面には上方へ突出して空気出口管６が設けられており、この空気出口管６には逆止弁７が設けられている。また、空気出口管６には逆止弁７と反対側に連通管路８が接続されている。
【００１５】
一方、加圧タンク２の底面側には下方へ湾曲して共通ポート管９が設けられており、この共通ポート管９には、内部に三方弁を内装した操作弁１０が接続されており、操作弁１０には内部の三方弁を切り替え操作できるハンドル１０ａが連結されている。
また、操作弁１０には接続経路管１１が接続されており、接続経路管１１の端部には図示しない水道管を接続するための水道管接続部１１ａが設けられている。また、操作弁１０から反対側へ延びてドレン経路管１２が設けられている。
【００１６】
なお、操作弁１０のハンドル１０ａは、常には、このドレン経路管１２側に付勢されて略水平状態に保持されるように構成されており、通常は操作弁１０を介し加圧タンク２内の水圧室５とドレン経路管１２が連通状態にされ、加圧タンク２の水圧室５内の水はドレン経路管１２から排出されて、加圧タンク２内には逆止弁７から空気室４内に空気が導入された状態に保持される。
また、ハンドル１０ａを時計方向に引き下げて垂直状態にすると、操作弁１０を介して加圧タンク２の水圧室５と接続経路管１１が連通状態となり、この状態で、水道管からの水圧が接続経路管１１および共通ポート管９を通り加圧タンク２内の水圧室５内に流入されて、空気室４が加圧されるように構成されている。
なお、図３は、水圧室５内に水道水が供給されて加圧タンク２内の空気室４が加圧された状態を示している。
【００１７】
次に、液体タンク１３を説明する。
液体タンク１３は、内部に３５０ｃｃ程度の液体を溜めることのできる液体室１４が下部に形成されており、上部には加圧空気を導入する空気室１５が形成されて、全体として５００ｃｃ〜６００ｃｃ程度のタンク容量に形成されている。
この空気室１５の上面側には、逆止弁１６を介して空気流路１８が連通されており、この空気流路１８の上端は外側へ突出した接続管１９に連通され、接続管１９には、前述した如くカプラで構成される着脱部２０を着脱可能に連結して連通管路８を接続できるものである。
なお、空気室１５の上面側には、抜き取り部１７が抜き取り可能に挿着されており、抜き取り部１７に前記逆止弁１６を介して空気流路１８が形成されており、また、抜き取り部１７には、空気流路１８と平行状に液体流路２１が縦設され、液体流路２１の下端には挿入管２２が連結されて、挿入管２２は液体室１４の底側まで延びて開口されている。
【００１８】
なお、液体タンク１３の下端には、液体タンク１３を自立可能に支持する台座２３が設けられている。
また、液体タンク１３の上面側にはキャップ２４が設けられており、このキャップ２４の上端と抜き取り部１７間にはクイックファスナー３１が取り付けられて、クイックファスナー３１により連結されており、このクイックファスナー３１を横方向へ引っ張って引き抜くことにより、抜き取り部１７は上方側へ抜き取ることができるように構成されている。
【００１９】
なお、抜き取り部１７には逆止弁１６および挿入管２２が設けられているため、これらも一体で液体タンク１３から引き抜いて、その状態で液体タンク１３内に洗剤等の液体を投入できるように構成されている。
抜き取り部１７の上端には、液体出口管２５が連結されており、液体出口管２５にはホース２６が連結されて、ホース２６の先端側には、内部に弁部２８を有する手持ち部２７が設けられ、手持ち部２７には弁部２８を開閉操作できるボタン３０が設けられている。また、先端側には洗剤等の液体をミスト状に噴霧することのできるスプレーノズル２９が設けられている。
【００２０】
このような構造において、通常は操作弁１０のハンドル１０ａはドレン経路管１２側に付勢されて、ドレン経路管１２から加圧タンクの水圧室５内の水は排出されている。
この状態でハンドル１０ａを垂直方向に回転させて操作弁１０を切り替えると、水道管の水圧が加圧タンク２の水圧室５に流入され、空気室４を図３に示すように圧縮し、圧縮された加圧空気が連通管路８を通り、液体タンク１３の空気室１５に導入され、空気室１５が加圧されることで、液体タンク１３内に溜められている液体室１４内の液体が加圧されて、液体は挿入管２２を通り、液体流路２１から液体出口管２５を通り、更にホース２６を通って外側へ押し出される。この状態で手持ち部２７を手で持ちボタン３０を操作すると、弁部２８が開いて、液体はスプレーノズル２９から噴出されることとなる。
なお、液体タンク１３には逆止弁１６が設けられているため、空気室１５内の加圧空気が外部に漏れることはなく、そのため着脱部２０を構成するカプラをワンタッチで外して液体タンク１３のみを分離させ、液体タンク１３を自由に持ち運んで遠く離れた場所にも良好に液体を噴霧することができるものとなる。
【００２１】
なお、加圧タンク２の水圧室５内には、ハンドル１０ａを操作した時のみ水道水が流入されるものであり、通常はドレン経路管１２から水圧室５内の水は排出されて加圧タンク２には水圧は作用しておらず、加圧タンク２内の変位膜３等の損傷が防がれるものである。
また、通常は加圧タンク２と水道管は操作弁１０を介し遮断されているため、水道管の蛇口を急閉止した場合に生ずる大きな水撃圧力が加圧タンク２に作用することがなく、加圧タンク２の破損を防ぐことができるものである。そのため、加圧タンク２はさほど頑丈な構造にする必要はないものである。
【００２２】
なお、この噴霧装置１は、例えば図４の平面概略図に示すような浴室の洗い場３３に、浴槽３４側から横設されるカウンター３５の下面側に隠蔽状に組み込んでおくことができるものであり、例えば図５に示すように、カウンター３５を載せるカウンター載置面３６ａが上面に形成された支持箱体３６内に加圧タンク２を組み込み、支持箱体３６の底側の洗い場３３側の部分に切欠３６ｂを設けておき、この切欠３６ｂに操作弁１０のハンドル１０ａを配置させて、ハンドル１０ａを洗い場３３側から操作できるように構成しておくことができ、ドレン経路管１２からの排水は、良好に洗い場３３に排水できるものである。
また、収納部３７内には液体タンク１３を収納させることができ、収納部３７の上面側にはヒンジ３９を介して開閉できる開閉蓋３８を設けておき、この開閉蓋３８を開けて収納部３７から液体タンク１３を取り出して使用できるように構成しておくことができる。
【００２３】
なお、浴室にこのような噴霧装置１が組み込まれている場合には、浴室内の掃除に使用することができ、例えばバスマジックリン（登録商標）等の洗剤を液体タンク１３の液体室１４内に入れて、スプレーノズル２９から洗剤をミスト状に噴霧させて使用することができるものである。
なお、浴室の天井や換気扇の洗浄にも使用することができ、また、窓ガラスの洗浄等にも使用することができるものであり、更には、浴室内から液体タンク１３を持ち出して、屋外で洗車等にも使用することができるものである。
なお、液体タンク１３内には、洗剤に限らず殺虫剤等を入れて、殺虫目的等に噴霧装置１を使用することも可能である。
【図面の簡単な説明】
【００２４】
【図１】噴霧装置の外観構成図である。
【図２】噴霧装置の内部構造を示す断面構成図である。
【図３】図２の状態から水道圧が加圧タンク内に作用した状態の断面構成図である。
【図４】浴室の平面概略構成図である。
【図５】支持箱体および収納部内に噴霧装置を組み込んだ状態の斜視構成図である。
【符号の説明】
【００２５】
１  噴霧装置
２  加圧タンク
３  変位膜
４  空気室
５  水圧室
６  空気出口管
７  逆止弁
８  連通管路
９  共通ポート管
１０  操作弁（三方弁）
１０ａ  ハンドル
１１  接続経路管
１２  ドレン経路管
１３  液体タンク
１４  液体室
１５  空気室
１６  逆止弁
１７  抜き取り部
１８  空気流路
１９  接続管
２０  着脱部
２１  液体流路
２２  挿入管
２３  台座
２４  キャップ
２５  液体出口管
２６  ホース
２７  手持ち部
２８  弁部
２９  スプレーノズル
３０  ボタン
３３  洗い場
３５  カウンター
３６  支持箱体
３６ｂ  切欠部
３７  収納部
【図１】
2009000668.tif 000003
【図２】
2009000668.tif 000004
【図３】
2009000668.tif 000005
【図４】
2009000668.tif 000006
【図５】
2009000668.tif 000007